(57)【要約】      （修正有）【課題】  少数のＬＥＤを用いる簡易な構成により、入力チャンネルや画質に関する記録モード等を表示できるディスク装置を提供する。【解決手段】  装置本体のフロントパネルに設けられ、光ディスクへの情報記録に関した動作の表示、受信チャンネルのうち高位チャンネルから低位チャンネルまでの単位表示、前記情報記録時の画質に関する記録モードの種別表示がそれぞれ割り当てられる複数個のLED表示灯７，８，９と、前記受信チャンネルおよび前記記録モードを入力する入力手段４と、前記複数個のLED表示灯７，８，９への供給電圧を切り換えて何れかを点滅させる切換回路１０Ａを具備しており、前記入力手段４からの指令信号に基づいて前記切換回路１０Ａを制御を行なう点灯制御手段１０とを備えた。【選択図】図２
2007200404.tif 000002
【特許請求の範囲】
【請求項１】
装置本体のフロントパネルに設けられ、光ディスクへの情報記録に関した動作の表示、受信チャンネルのうち高位チャンネルから低位チャンネルまでの単位表示、前記情報記録時の画質に関する記録モードの種別表示がそれぞれ割り当てられる複数個のLED表示灯と、
前記受信チャンネルおよび前記記録モードを入力する入力手段と、
前記複数個のLED表示灯への供給電圧を切り換えて何れかを点滅させる切換回路を具備しており、前記入力手段からの指令信号に基づいて前記切換回路を制御し、チャンネル指令が入力すると、そのチャンネルの単位に対応したLED表示灯を所要回数点滅させ、記録モード指令が入力したときは、第１番目のLED表示灯から最後のLED表示灯までを順番に繰り返し点滅させるとともに、１サイクルの点滅時間間隔について高画質モードを最長とし、低画質モードとなるに従って順次短かい間隔とする制御を行なう点灯制御手段と、を備えたディスク装置。
【請求項２】
前記複数個のLED表示灯が、３個のLEDからなり、第１のLED表示灯をチャンネル１００の単位、第２のLED表示灯をチャンネル１０の単位、第３のLED表示灯をチャンネル１の単位に割り当ててなることを特徴とする請求項１に記載のディスク装置。
【請求項３】
前記記録モードが、ＸＰ，ＬＰ，ＳＰ，ＥＰの順に低画質モードとなり、前記１サイクルの点滅時間間隔が秒単位であることを特徴とする請求項１に記載のディスク装置。
【発明の詳細な説明】
【技術分野】
【０００１】
本発明は、表示部にＬＥＤを用いるディスク装置に係り、特に、少数のＬＥＤを情報記録に関した表示に兼用し得るディスク装置に関する。
【背景技術】
【０００２】
ＡＶ装置は、各種動作の表示部としてフロントパネルに液晶表示装置や蛍光表示管を設けるのが一般的である。
【０００３】
しかし、液晶表示装置や蛍光表示管は、高価となるうえにある動作の表示中には、他の表示を行い難いという制約があった。
【０００４】
そこで、表示部にＬＥＤが広く採用されており、その一例として、光ディスクドライブ装置の表示装置が知られている（例えば、特許文献１参照）。
【０００５】
このものは、複数本の出力ポートでＬＥＤを駆動する駆動手段と、このＬＥＤ表示装置の表示状態を変化させる制御手段とを備えて構成されている。
【０００６】
この表示装置は、データリード中にＬＥＤを高輝度と低輝度で交互点灯させ、音楽再生中には低輝度で交互点灯表示させる、といったようにドライブの動作状態に応じてＬＥＤの点灯を制御することにより、多くの情報の表現を可能としている。
【特許文献１】特開平１１−９６７４３号公報また、ディスクの種類が増えても表示器の数が少なく、表示スペースを節約可能とするディスク装置が提案されている（例えば、特許文献２参照）。このディスク装置の表示器は、ディスクの種類を上位分類と下位分類とで表示するＬＥＤ群で構成されている。そして、上位分類のＬＥＤ群は、装填されているディスクがＣＤであることを表示する第１のＬＥＤと、装填されているディスクがＤＶＤであることを表示する第２のＬＥＤとを有している。また、下位分類を表示するＬＥＤ群は、ＲＯＭ，Ｒ，ＲＷ等の記録再生形態のそれぞれに対応して設けられた複数個の第３のＬＥＤを有している。さらに、第１または第２のＬＥＤの点灯と、第３のＬＥＤの点灯との組み合わせによってディスクの種類を表示するようになっている。これにより、パーソナルコンピュータ（パソコン）等に搭載されるディスク装置は、ディスクの種類の数だけ表示器を設ける必要なく表示できて、表示器の個数と表示スペースとを低減できるというものである。
【特許文献２】特開２００２−３３４５６９号公報また、ユーザーが所望の記録再生モードに容易に設定できるようにする光ディスク装置も提案されている（例えば、特許文献３参照）。この光ディスク装置は、光ディスクへのデータ記録中であることを示す記録状態表示手段（ライトＬＥＤ）と、データ再生中であることを示す再生状態表示手段（リードＬＥＤ）および制御手段を備えている。そして、光ディスクを搬送するトレイを排出するためのイジェクトキーが操作されたときに、光ディスクの記録再生モードを設定する。また、イジェクトキーの操作回数に応じて記録再生モードの種類を変化させる。さらに、これに応じてライトＬＥＤ、リードＬＥＤをＯＦＦ、点滅、ＯＮさせる組み合わせにより８通りのモードを表示し、ユーザーが所望の記録再生モードに容易に設定できるというものである。
【特許文献３】特開２００４−３４８９１７号公報
【発明の開示】
【発明が解決しようとする課題】
【０００７】
ところで、上記特許文献１の表示装置は、ＬＥＤをデータリード中や音楽再生中といったドライブの動作状態に応じて点滅表示させるが、少数のＬＥＤで入力チャンネルを表示したり、録画モードの種別を表示させるといったことはできなかった。
また、特許文献２のディスク装置は、複数個のＬＥＤの点灯組み合わせによってディスクの種類を表示し、表示器の個数と表示スペースを低減するものであるが、やはり、少数のＬＥＤで入力チャンネルや録画モードを表示するといったことはできなかった。
また、特許文献３の光ディスク装置は、ユーザーが８通りのモードを表示して、所望の記録再生モードに容易に設定し得るが、上述の如く少数のＬＥＤで入力チャンネルを表示したり、録画モードの種別を表示させることはできなかった。
本発明は、上記課題に鑑みてなされたもので、少数のＬＥＤを用いる簡易な構成により、入力チャンネルや画質に関する記録モード等を表示できるディスク装置を提供することを目的としている。                 
【課題を解決するための手段】
【０００８】
上記目的を達成するため、本発明のディスク装置は、装置本体のフロントパネルに設けられ、光ディスクへの情報記録に関した動作の表示、受信チャンネルのうち高位チャンネルから低位チャンネルまでの単位表示、前記情報記録時の画質に関する記録モードの種別表示がそれぞれ割り当てられる複数個のLED表示灯と、前記受信チャンネルおよび前記記録モードを入力する入力手段と、前記複数個のLED表示灯への供給電圧を切り換えて何れかを点滅させる切換回路を具備しており、前記入力手段からの指令信号に基づいて前記切換回路を制御し、チャンネル指令が入力すると、そのチャンネルの単位に対応したLED表示灯を所要回数点滅させ、記録モード指令が入力したときは、第１番目のLED表示灯から最後のLED表示灯までを順番に繰り返し点滅させるとともに、１サイクルの点滅時間間隔について高画質モードを最長とし、低画質モードとなるに従って順次短かい間隔とする制御を行なう点灯制御手段と、を備えたことを特徴としている。
また、前記複数個のLED表示灯が、３個のLEDからなり、第１のLED表示灯をチャンネル１００の単位、第２のLED表示灯をチャンネル１０の単位、第３のLED表示灯をチャンネル１の単位に割り当ててなることを特徴としている。
また、前記記録モードが、ＸＰ，ＬＰ，ＳＰ，ＥＰの順に低画質モードとなり、前記１サイクルの点滅時間間隔が秒単位であることを特徴としている。
【発明の効果】
【０００９】
以上説明したように、本発明によるディスク装置は、入力手段からチャンネル指令が入力すると、そのチャンネルの単位に対応したLED表示灯を所要回数点滅させ、記録モード指令が入力したときは、複数のLED表示灯を順番に繰り返し点滅させるので、従来のような液晶表示装置等の必要なく、少数のLED表示灯により、光ディスクへの情報記録に関した動作の表示、高位チャンネルから低位チャンネルまでの単位表示、情報記録時の画質に関する記録モードの種別表示等を簡易に行うことができる効果がある。
また、前記複数個のLED表示灯が３個のLEDからなり、第１のLED表示灯をチャンネル１００の単位、第２のLED表示灯をチャンネル１０の単位、第３のLED表示灯をチャンネル１の単位に割り当てているので、極めて少数のLEDにより、入力チャンネルや記録モードを確認できる利点がある。
また、前記記録モードがＸＰ，ＬＰ，ＳＰ，ＥＰの順に低画質モードとなり、前記１サイクルの点滅時間間隔を秒単位としているので、記録モードの種別を素早く確認できる利点がある。
【発明を実施するための最良の形態】
【００１０】
以下、本発明のディスク装置の実施形態について、図面を参照しながら詳述する。
図１は本発明の一実施形態であるディスク装置のフロントパネルを示す正面図である。
本実施形態のディスク装置は、ＤＶＤレコーダーに適用されたもので、本体ケース１のフロントパネル１ａに、ＤＶＤやＣＤをトレイに挿入する開口部２、このＤＶＤレコーダーを動作させるキー操作部３、この動作表示用の表示部６等が設けられている。
キー操作部３は、記録開始キーと決定キーを兼ねるRECキー３ａ、記録モードを選択するためのMODEキー３ｂ、チャンネルを選択するためのUP／DOWN（ＤＮ）キー３ｃを備えている。
なお、このキー操作部３の各キーは、図示省略しているが、リモコン側にも備えられている。
４は電源ON ／OFF用のPOWERキー、５はトレイ開閉用のOPEN／CLOSEキーである。
表示部６は、図２に示す第１〜第３LED７，８，９からなり、フロントパネル１ａの内側に設けられている。
【００１１】
この第１〜第３LED７，８，９には、赤色LEDが用いられ、キー操作部３の下方に形成した小孔に向けて取り付けられている。この小孔は、本体ケース１の左右方向に３箇所を開設しており、半透明のカバー７ａ，８ａ，９ａで覆われている。
【００１２】
これにより、フロントパネル１ａの内側のLED７〜９が発光すると、カバー７ａ，８ａ，９ａが赤色に光って、フロントパネル１ａの外方に放光される。
【００１３】
この第１〜第３LED７，８，９は、点灯制御部１０により３個の点灯形態を異ならせて、多様な表示を可能にしている。
図２は本発明の一実施形態であるディスク装置の電気的構成を示すブロック線図である。
【００１４】
同図において、６は前記表示部であり、第１〜第３LED７，８，９の各アノード側が電源回路の出力端に接続されて、電源電圧５Vの供給を受けるようになっている。
一方、第１〜第３LED７，８，９の各カソード側は、電流制限抵抗Rを介して点灯制御部１０に接続されている。
【００１５】
この点灯制御部１０は、CPU１０ａ、メモリ１０ｂ、タイマ１０ｂ、カウンタ１０ｃからなり、接続切換回路１０Aを備えている。
【００１６】
メモリ１０ｂには、接続切換回路１０Aを動作させて、第１〜第３LED７，８，９を点滅させるデータが記憶されている。また、タイマ１０ｂは、CPU１０ａに時間データを与える。
そして、カウンタ１０ｃは、CPU１０ａの指令に応じてカウント動作し、接続切換回路１０Aの切換タイミングを図ることにより、第１〜第３LED７，８，９の点滅タイミングや点滅順に応じた時間間隔等をコントロールする。
この接続切換回路１０Aは、３個の切換接点を有しており、それぞれが抵抗Rを介して第１〜第３LED７，８，９に接続されている。
【００１７】
この接続切換回路１０Aは、CPU１０ａの指令に応じて切換接点を切り換え、電源電圧をアースＥ側に導くことにより、LED７〜９の何れかを発光させる。
CPU１０ａには、トレイをローディングさせる回路部の出力が接続されている。また、前記キー操作部３およびリモコンからの出力信号が導かれており、これらの信号に応じて接続切換回路１０Aの切換接点を制御する構成になっている。
情報記録の動作表示を行う場合は、ＤＶＤがトレイに入れられると、その検知信号を受けて、CPU１０ａが第１LED７を発光させることにより、“DISC IN”を表示し、タイマ予約の信号が入力すると第２LED８を発光させてTIMER”を表示し、記録開始信号が入力すると第３LED９を発光させて“REC” を表示する。
また、CPU１０ａは、放送番組のチャンネル信号が入力したとき、１００Ｃｈ台であると第１LED７を発光させ、１０Ｃｈ台であると第２LED８を発光させ、１Ｃｈ台であると第３LED９を発光させる。
さらに、CPU１０ａは、記録モードの指令信号が入力すると、第１LED７、第２LED８、第３LED９の順に発光させる。
記録モードＸＰのときは、順送り発光時間を最長の３秒間、記録モードＬＰは２秒間、記録モードＳＰは１秒間、記録モードＥＰでは、これよりも短い約０、５秒間発光させる制御を行う。
【００１８】
次に、上記ＤＶＤプレイヤーの動作について、図を参照しつつ説明する。
【００１９】
ユーザーが放送番組を記録する場合、ＤＶＤを所定位置にセットした状態で、チャンネルを選択し記録モードを設定する。
【００２０】
例えば、ケーブルテレビの２３４Chを記録モードＸＰで記録したい場合、まず、キー操作部３のUP／ＤＮキー３ｃを操作して入力する。
最初は、チャンネルが“０００”となっており、UPキーを２回押してからＲＥＣキー３ａを押すと、CPU１０ａは、接続切換回路１０Aを制御し、第１LED７を２回点滅させる。
つぎに、UPキーを３回押してからＲＥＣキー３ａを押すと、CPU１０ａは、第２LED７を３回点滅させる。
また、UPキーを４回押してＲＥＣキー３ａを押すと、CPU１０ａは、第２LED７を４回点滅させる。
さらに、CPU１０ａは、第１LED７を２回、第２LED８を３回、第３LED９を４回発光させる点滅を１ターンとして、３ターンの点滅制御を行ってから一連の動作を終了する。
【００２１】
これにより、ユーザーは、第１〜第３LED７，８，９の点滅のみで、２３４Chを入力したことを確認することができる。
【００２２】
続いて、記録モードＸＰを設定するときは、MODEキー３ｂを押してから、ＲＥＣキー３ａを押下操作する。
すると、CPU１０ａは、接続切換回路１０Aを制御し、第１LED７、第２LED８、第３LED９、第１LED７の順で３秒間点灯させる。
よって、ユーザーは、記録モードＸＰを入力したことを確認することができる。  
ところで、ユーザーが他のチャンネルを入力したときや別の記録モードを選択設定したときも、CPU１０ａがそれに応じた回数分を点灯表示させ、かつ、異なる時間間隔で点灯させるから、ユーザーは簡便にチャンネルと記録モードを確かめることができる。
このため、従来のように、液晶表示部がなくても容易に入力内容を知ることができる。
なお、本発明は上記の各実施形態に限定されず、本発明の趣旨を逸脱しない範囲で、種々の変更が可能である。
【図面の簡単な説明】
【００２３】
【図１】本発明の一実施形態であるディスク装置のフロントパネルを示す正面図である。
【図２】同ディスク装置の電気的構成を示すブロック線図である。
【符号の説明】
【００２４】
１    装置本体
１ａ  フロントパネル
２    入力手段
７    LED表示灯
８    LED表示灯
９    LED表示灯
１０  点灯制御手段
【図１】
2007200404.tif 000003
【図２】
2007200404.tif 000004